(57)【要約】【課題】携帯電話を用いてゴルフスコアを入力ことにより、ゴルフスコアの検索および管理を容易にする。【解決手段】携帯電話１を用いてゴルフスコアを入力すると、ゴルフスコアはインターネット５を介してサーバ６に送信される。ユーザは、形態電話１を用いて６は所望のゴルフスコアを検索する。スポンサはゴルフスコア管理システムのオンラインサービスの費用をユーザに代わって負担し、その代償としてユーザの情報を閲覧し、ユーザに広告メッセージ等を送信する。同一のスポンサによってサービスされる各ユーザ間においてスコア情報を相互に参照可能である。【選択図】  図１
2004246858.tif 000002
【特許請求の範囲】
【請求項１】
インターネットに接続されたサーバと、
インターネットに接続可能な移動通信無線端末とを備え、
前記移動通信無線端末は、
ゴルフスコアを入力可能な入力手段と、
入力されたゴルフスコアをインターネットを介して前記サーバに送信するとともに、前記サーバにおいて検索されたゴルフスコアを受信する送受信手段と、
検索されたゴルフスコアを表示可能な表示手段とを備えることを特徴とするゴルフスコア管理システム。
【請求項２】
前記インターネットに接続された固定端末を備え、当該固定端末は前記サーバに記憶されたゴルフスコアの検索または編集を行うことを特徴とする請求項１に記載のゴルフスコア管理システム。
【請求項３】
前記移動通信無線端末は携帯電話であることを特徴とする請求項１記載のゴルフスコア管理システム。
【請求項４】
前記移動通信無線端末が前記サーバを使用することにより課金が発生した場合、前記サーバからの課金要求を受信し、当該課金要求に対する支払処理を行うスポンサ端末をさらに有することを特徴とする請求項１に記載のゴルフスコア管理システム。
【請求項５】
前記スポンサ端末は、前記サーバから前記移動通信無線端末の利用者に関する個人情報を受信可能であることを特徴とする請求項４に記載のゴルフスコア管理システム。
【請求項６】
前記スポンサ端末が支払処理を行った複数の移動通信無線端末間において、前記サーバはゴルフスコアの情報を相互に参照可能ならしめることを特徴とする請求項４に記載のゴルフスコア管理システム。
【請求項７】
前記スポンサ端末の利用者はゴルフ場であって、前記課金を負担された移動通信無線端末は前記サーバを介して前記スポンサ端末にゴルフスコアカード情報を送信可能な請求項４に記載のゴルフスコア管理システム。
【請求項８】
サーバと移動通信無線端末との間でインターネットを介してゴルフスコアを管理する方法であって、
前記移動通信無線端末にゴルフスコアを入力するステップと、
入力されたゴルフスコアをインターネットを介して前記サーバに送信するステップと、
前記サーバにおいて、送信された前記ゴルフスコアを保存するステップと、
前記移動通信無線端末において、検索条件を入力するとともに、当該検索条件をインターネットを介して前記サーバに送信するステップと、
前記サーバにおいて受信した検索条件に基づき保存されたゴルフスコアを検索し、検索結果をインターネットを介して前記移動通信無線端末に送信するステップと、
前記移動通信無線端末において前記検索結果を表示するステップとを有することを特徴とするゴルフスコア管理方法。
【請求項９】
前記サーバに保存されたゴルフスコアの編集または検索を、インターネットを介して固定端末で行うステップを有することを特徴とする請求項８に記載のゴルフスコア管理方法。
【請求項１０】
前記移動通信無線端末は携帯電話であることを特徴とする請求項８に記載のゴルフスコア管理方法。
【請求項１１】
前記移動通信無線端末が前記サーバを使用することにより課金が発生した場合、スポンサ端末が前記サーバからの課金要求を受信し、当該課金要求に対する支払処理を行うステップをさらに有することを特徴とする請求項８に記載のゴルフスコア管理方法。
【請求項１２】
前記サーバは、前記スポンサ端末によって課金を負担された複数の移動通信無線端末間において、ゴルフスコアの情報を相互に参照可能ならしめることを特徴とする請求項１１に記載のゴルフスコア管理方法。
【請求項１３】
前記スポンサ端末の利用者はゴルフ場であって、前記課金を負担された移動通信無線端末は前記サーバを介して前記スポンサ端末にゴルフスコアカード情報を送信するステップを有する請求項１１に記載のゴルフスコア管理方法。
【発明の詳細な説明】
【０００１】
【発明の属する技術分野】
本発明は、ゴルフスコア管理システムおよびゴルフスコア管理方法に関し、詳しくは携帯端末を用いてゴルフスコアの入力および検索を行うゴルフスコア管理システムおよびゴルフスコア管理方法に関する。
【０００２】
【従来の技術】
従来より、ゴルフのスコアの記録はスコアカードおよびペンを用いて行うのが一般的であった。周知のとおり、スコアカードは紙の媒体であるため、スコアの管理検索が困難である。また、スコアカードはプレイ中に携帯可能なサイズであることが要求されるため、スコアカードに記録し得るデータは限られてしまう。このため、後日、プレイヤーが記録済みのスコアカードを参照したとしても、自己のプレイを見直すだけの十分な情報を得ることができず、また、コンペの名称すら思い出せないということも生じうる。
なお、ゴルフのスコアを移動端末を用いて行うものとして、例えば特開平１０−３０３９７６号公報に記載されたシステムが案出されている。しかしながら、このシステムでは、同報メールを用いてラウンド中の他のパーティにゴルフスコアを送信するにすぎず、入力されたゴルフスコアの管理および検索を行うことを目的としたものではない。
【特許文献１】
特開平１０−３０３９７８号公報
【０００３】
【発明が解決しようとする課題】
本発明は、上述の問題を解決することに鑑みなされたもので、本発明の目的は、
携帯電話を介してスコアカードの入力を行うことにより、スコアの入力および検索を容易に行うことにある。
【０００４】
【課題を解決するための手段】
上述の課題を解決するために本発明は、インターネットに接続されたサーバと、
インターネットに接続可能な移動通信無線端末とを備え、前記移動通信無線端末は、ゴルフスコアを入力可能な入力手段と、入力されたゴルフスコアをインターネットを介して前記サーバに送信するとともに、前記サーバにおいて検索されたゴルフスコアを受信する送受信手段と、検索されたゴルフスコアを表示可能な表示手段とを備える。
前記ゴルフ管理システムは、前記インターネットに接続された固定端末を備え、当該固定端末は前記サーバに記憶されたゴルフスコアの検索または編集を行う。
さらに、前記移動通信無線端末は携帯電話であることを特徴とする。
【０００５】
前記移動通信無線端末が前記サーバを使用することにより課金が発生した場合、スポンサ端末が前記サーバからの課金要求を受信し、当該課金要求に対する支払処理を行う。
また、前記サーバは、前記スポンサ端末によって課金を負担された複数の移動通信無線端末間において、ゴルフスコアの情報を相互に参照可能ならしめる。
さらに、前記スポンサ端末の利用者はゴルフ場であって、前記課金を負担された移動通信無線端末は前記サーバを介して前記スポンサ端末にゴルフスコアカード情報を送信する。
【０００６】
また、本発明は、サーバと移動通信無線端末との間でインターネットを介してゴルフスコアを管理する方法であって、前記移動通信無線端末にゴルフスコアを入力するステップと、入力されたゴルフスコアをインターネットを介して前記サーバに送信するステップと、前記サーバにおいて、送信された前記ゴルフスコアを保存するステップと、前記移動通信無線端末において、検索条件を入力するとともに、当該検索条件をインターネットを介して前記サーバに送信するステップと、前記サーバにおいて受信した検索条件に基づき保存されたゴルフスコアを検索し、検索結果をインターネットを介して前記移動通信無線端末に送信するステップと、前記移動通信無線端末において前記検索結果を表示するステップとを有する。
【０００７】
【発明の実施の形態】
以下、図面を参照しながら本発明の一実施形態を説明する。
【０００８】
＜第１実施例＞
図１に本発明の第１実施例に係るゴルフスコア管理システムの概略構成を示す。この図に示されたように、ゴルフスコア管理システムは、携帯電話１，基地局２ａ〜２ｂ、基地局制御装置３，インターワーキングユニット４，インターネット５，サーバ６，パーソナルコンピュータ７、カーナビゲーションシステム８、ＰＤＡ（Ｐｅｒｓｏｎａｌ  Ｄａｔａ  Ａｓｓｉｓｔａｎｔ）９等により構成されている。携帯電話１は通常の音声会話機能の他にインターネット接続機能を備えたものであり、ゴルフプレイヤーによって携帯される。基地局２ａ、２ｂ、２ｃ等は、多角形に区画された複数の無線サービスエリア内に各々設置されており、携帯電話１との無線通信を行う。携帯電話１が移動した場合には、いわゆるハンドオーバーがなされ、基地局２ａ、２ｂ、２ｃ等のうちで携帯電話１が最も強い電話を受ける基地局との無線通信が行われる。基地局２ａ、２ｂ、２ｃ等は基地局制御装置３に接続されており、基地局制御装置３は基地局２ａ、２ｂ、２ｃ等のハンドオーバー処理を制御する。
【０００９】
インターワーキングユニット４は、基地局制御装置３とインターネット５との間に接続されており、携帯電話１，基地局２ａ、２ｂ、２ｃ等の無線通信システムの通信プロトコルとインターネット５の通信プロトコル間で、各レイヤーの情報要素をマッピングすることにより、無線通信システムとインターネット５との間の通信を可能にする。サーバ６は、携帯電話１から送信されたゴルフスコアデータをインターネットを介して受信し、保存するとともに、ゴルフスコアデータの検索等の各種サービスを携帯電話１に対して提供する。パーソナルコンピュータ７は、インターネットを介してサーバ６にアクセスし、ゴルフスコアデータの検索および編集を行うために使用される。
【００１０】
カーナビゲーションシステム８は通信機能を有しており、基地局２ａ〜２ｃを介してサーバ６へのアクセスが可能である。また、カーナビゲーションシステム８は音声合成機能を有しており、ゴルフスコアの読み上げを行うことが可能である。ＰＤＡ９も通信機能を有しており、形態電話１と同様にゴルフスコアの入力および検索が可能である。
【００１１】
図２は、携帯電話１のブロック図である。上述したように、携帯電話１はインターネット接続機能を備えている。インターネット接続機能のために、ＭＰＵ１１８、フラッシュメモリ１１９，ＳＲＡＭ１２０、ＬＣＤディスプレイ等が携帯電話１に設けられている。ＬＣＤディスプレイ１２１には、後述するようにゴルフスコアのためのログイン画面、入力画面、編集画面、検索画面が表示される構成となっている。また、携帯電話１には、アンテナ１０１，デュプレクサ１０２，ローノイズアンプ１９３，ＳＡＷフィルタ１０４，ＭＩＸ回路１０５，変復調回路１０６，ＴＤＭＡ制御回路１０７，音声コーデック回路１０８，音声インターフェース１０９、スピーカ１１０、マイク１１１、パワーアンプ１１２、ＳＡＷフィルタ１１３、ＭＩＸ回路１１４、ＳＡＷフィルタ１１５、周波数シンセサイザ１１６、直交変調機１１７等が設けられている。
【００１２】
続いて、図３〜図７を参照しながら、携帯電話１の表示画面の一例を説明する。図３は、表示画面の遷移を表している。プレイヤーが携帯電話１を用いてインターネット上において所定のＵＲＬにアクセスすると、ログイン画面３０１が表示される。ログイン画面３０１は、ユーザＩＤ入力フィールド、パスワード入力フィールド、ログインボタン、およびゴルフスコア入力システムの簡単な説明により構成される。ユーザＩＤ入力フィールドには、ユーザに固有の識別名が入力され、パスワード入力フィールドには、ユーザにより設定された任意の英数字が入力される。
【００１３】
ログインエラー画面３０２は、入力されたユーザＩＤまたはパスワードに誤りがある場合に表示される画面である。ログインエラー画面３０２は、ユーザＩＤ入力フィールド、パスワード入力フィールド、ログインボタン、ユーザＩＤ等に誤りがある旨のメッセージ、および入力可能な文字は半角英数字である旨のメッセージにより構成される。
【００１４】
ログインタイムアウト画面３０３は、ログインされた後から所定時間内（例えば３０分）にスコアの入力または照会等がなされなかった場合に表示される画面である。この画面が表示された場合には、サーバから強制的にログオフされているので、再度のログイン手続が必要になる。ログインタイムアウト画面３０３は、ユーザＩＤ入力フィールド、パスワード入力フィールド、ログインボタン、ログオフされた旨のメッセージ、再度のログインを促すメッセージにより構成される。
【００１５】
メニュー画面３０４は、階層構造になった各種画面の最上位に位置しており、ログインがなされた場合に最初に表示される画面である。このメニュー画面３０４は、新規スコア入力画面へのリンク表示、過去スコア検索画面へのリンク表示、ユーザ情報更新画面へのリンク表示、スコア一括削除画面へのリンク表示、トップメニューを表すメッセージ、メニューの簡単なメッセージにより構成されている。
【００１６】
図５に、新規スコア入力画面３０５を表す。この新規スコア入力画面３０５は、本人および同伴者のスコア入力を行うための画面である。新規スコア入力画面３０５は、プレイ情報に関するプレイデータとして、「日付」、「ゴルフ場」、「天候」、「風」、「同伴者名」、「コンペ情報」、「コメント」を含み、スコアに関するスコアデータとして「アウトスコア」、「インスコア」、「ハンディキャップ」、「パット数」を含んでいる。
【００１７】
プレイデータのうち、「日付」は年月日の各々の数値を選択するリストの中から選択される。なお、当日の年月日がデフォルト表示されるので、通常は。「ゴルフ場」の入力フィールドには任意の文字列がユーザによって入力される。「選択ボタン」をクリックした場合には過去に入力されたゴルフ場名がリスト表示され、ユーザはこの中から所望のゴルフ場名を選択することが可能である。また、「天候」の選択リストとして、例えば「晴」、「曇」、「雨」が用意されており、風の選択リストとして「強」、「弱」、「無」が用意されている。「同伴者名」、「コンペ名」の入力フィールドには任意の文字が入力可能であり、「選択ボタン」をクリックした場合には過去に入力された名称がリスト表示され、これらの中から選択された名称が自動的に入力フィールドに書き込まれる。「送信ボタン」は、入力された検索条件をサーバ６に送信するためのものであり、画面下部の「メニューへ戻る」はメニュー画面３０４へのリンクボタンである。
【００１８】
検索結果画面３０８は、過去スコア検索画面３０７で指定された検索条件に基づく検索結果を表示する画面である。画面上部には検索条件（例えば、全期間等）が表示され、その下に検索結果が表示される。「件数」は検索条件に該当するスコアカード数を表し、「平均」、「アウト」、「イン」は当該件数分のスコアカードのスコア平均値、アウトのスコア平均値、インのスコア平均値を表している。画面下部の「再検索」をクリックすると、過去スコア検索画面３０７に戻り、「メニューへ戻る」をクリックすると、メニュー画面３０４に戻る。また、「一覧表示」をクリックした場合には、一覧表示画面３０９が表示される。
【００１９】
一覧表示画面３０９は検索されたスコアの一覧を表示する画面であり、検索結果で示された件数分のスコアの一覧を表示するためのものである。画面上部の「１２／１３フレックス７３」は「日付」、「ゴルフ場名」、「スコア（グロス）」を表している。この表示は詳細表示画面３１０へのリンクを表しており、当該表示をクリックすることにより詳細表示画面３１０が表示される。
【００２０】
詳細表示画面３１０は、一覧表示画面３０９で選択されたスコアの詳細を表す画面である。この画面は、「日付」、「天候」、「風」、「ゴルフ場名」、「ネット」、「アウト」、「イン」、「パット数（アウト）」、「パット数（イン）」、「グロス」、「ハンディキャップ」、「同伴者名」、「コンペ情報」、「コンペ補助情報」、「コメント」等の出力フィールドを有している。これらの出力フィールドは、本人および同伴者のスコアについても用意されている。画面下部の「編集ボタン」は編集画面３１１へのリンク表示であり、「削除ボタン」は個別削除画面３１３へのリンク表示である。
【００２１】
個別削除画面３１３は、詳細表示画面３１０で選択されたスコアカードを削除する際に表示される画面である。画面下部の「削除ボタン」をクリックすることで、選択されたスコアカードに関するデータはサーバ６から削除される。
【００２２】
図７は、ユーザ情報更新画面３１２，一括削除画面３１４を表している。ユーザ情報更新画面３１２は、ユーザに関する情報を登録および更新するためのものである。この画面では、「ユーザ名」、「メールアドレス」、「性別」、「年齢」、「ゴルフ歴」を登録することが可能である。入力されたデータは「送信ボタン」を押すことで、サーバ６に送信され、サーバ６内のハードディスクに記録される。
【００２３】
一括削除画面３１４は、登録されたスコアカードに関するデータをすべて削除するための画面である。画面下部の「削除ボタン」をクリックすることで、サーバ６に記憶されていたスコアカードに関するデータはすべて削除される。
【００２４】
続いて、図８，９を用いて、本実施形態に係るゴルフスコア入力システムの動作を説明する。先ず、ユーザが携帯電話１を操作し、所定のＵＲＬ（Ｕｎｉｆｏｒｍ  Ｒｅｓｏｕｒｃｅ  Ｌｏｃａｔｏｒ）にアクセスをすると、携帯電話１のＬＣＤパネル１２１にログイン画面３０１が入力される（ステップＳ１０１）。ユーザは予め登録されたユーザＩＤおよびパスワードをログイン画面３０１の入力フィールドに書き込み、「ログインボタン」をクリックする（ステップＳ１０２）。サーバ６は、携帯電話１から受信されたユーザＩＤおよびパスワードが正しいかどうかを認証する（ステップＳ１０３）。ユーザＩＤまたはパスワードが正しくない場合（ステップＳ１０４でＮＯ）には、サーバ６はログインエラー画面３０２を携帯電話１に送信する（ステップＳ１０８）。プレイヤーがログインエラー画面３０２において改めて正しいユーザＩＤおよびパスワードを入力することができ、サーバ６により再度の認証処理が実行される（ステップＳ１０８）。
【００２５】
入力されたユーザＩＤおよびパスワードが正しい場合（ステップＳ１０４でＹＥＳ）、サーバ６は当該プレイヤーのログインを許可する。その後、プレイヤーによって何らかの入力がなされなかった場合（ステップＳ１０５でＹＥＳ）には、タイムアウトとなり、携帯電話１にはログインタイムアウト画面３０３が表示される（ステップＳ１０９）。プレイヤーはこの画面上で再度のログイン処理を行うことが可能である（ステップＳ１０２〜）。
【００２６】
ログインが正常に行われた後、サーバ６はメニュー画面３０４を携帯電話１に送信し、プレイヤーにメニュー中のいずれかのサービスの選択を促す（ステップＳ１０６）。プレイヤーによって所望の処理が選択されると（ステップＳ１０７でＹＥＳ）、選択された処理に対応した画面が携帯電話１に表示される（ステップＳ１１１、Ｓ１１５、Ｓ１２０、Ｓ１２３）。
【００２７】
ステップＳ１１０において、新規スコア入力が選択された場合（ステップＳ１１１）には、携帯電話１には新規スコア入力画面３０５が表示される。この画面において、プレイヤーは「日付」、「ゴルフ場」、「天候」、「風」等の情報の他、自己および同伴者のスコアを入力し（ステップＳ１１２）、「送信ボタン」をクリックする（ステップＳ１１３）。サーバ６は送信されたデータを当該プレイヤーのスコアカードデータとして保存する。プレイヤーはスコアの入力をすべて行うまで（ステップＳ１１４でＹＥＳ）、ステップＳ１１２〜Ｓ１１３の処理が繰り返される。
【００２８】
ステップＳ１１０において、過去スコア検索の処理が選択された場合（ステップＳ１１５）には、過去スコア検索画面３０７が携帯電話１に表示される。この画面において、プレイヤーが所定を入力し（ステップＳ１１６）、「送信ボタン」をクリックすると、サーバ６は記憶されたスコアカードのデータから所望のデータの検索を開始する（ステップＳ１１７）。検索結果は、検索結果画面３０８，一覧表示画面３０９、詳細表示画面３１０に表示される（ステップＳ１１８）。例えば、過去３年分のスコアカードを指定した場合には、当該条件に合致するスコアカードの件数、および平均スコア等が検索結果画面３０８に表示され、さらに一覧表示画面３０９、詳細表示画面３１０により個々のスコアカードの詳細が表示可能である。また、プレイヤーは編集画面３１１において、過去のスコアカードの編集または修正を行うことができる（ステップＳ１１９）。
【００２９】
ステップＳ１１０において、ユーザ情報更新の処理が選択された場合（ステップＳ１２０）には、携帯電話１にはユーザ情報更新画面３１０が表示され、プレイヤーは例えばコメントの追加等の編集を行うことができる。編集内容は、「送信ボタン」をクリックすることによりサーバ６に送信され、サーバ６のハードディスクに保存される。
【００３０】
ステップＳ１１０において一括削除の処理が選択されると（ステップＳ１２３）、携帯電話１には一括削除画面３１４が表示される。プレイヤーが「削除ボタン」をクリックした場合（ステップＳ１２５でＹＥＳ）には、サーバ６は当該プレイヤーのスコアデータをすべて消去する（ステップＳ１２５）。
【００３１】
上述の処理が終了した後、プレイヤーが各画面の下部の「メニューへ戻る」のリンクボタンをクリックすると（ステップＳ１３０でＹＥＳ）、メニュー画面３０４が携帯電話１に表示される。一方、「メニューへ戻る」のリンクボタンがクリックされないまま、所定時間何らの操作もされなかった場合には自動的にログオフの処理が行われる（ステップＳ１３１）。
【００３２】
図１０は、パーソナルコンピュータ７を用いたゴルフカードの検索および編集用画面の一例を表している。本システムによれば、プレイヤーはパーソナルコンピュータ７を用いてスコアカードの検索および編集を行うことができる。これにより、プレイヤーは携帯電話１およびパーソナルコンピュータ７の双方からアクセスすることが可能となる。
【００３３】
以上、述べたように、本発明によれば、携帯電話を介してスコアカードの入力を行うことにより、スコアの入力および検索を容易に行うことが可能となる。また、インターネット上のサーバにスコアカードを記録しておくことにより、パーソナルコンピュータを用いたスコアカードの検索および編集も可能となる。
【００３４】
＜第２実施例＞
続いて、第２実施例に係るゴルフスコア管理システムを説明する。図１１は、第２実施例に係るゴルフスコア管理システムの概略図である。このゴルフスコア管理システムは、サーバーコンピュータ１１０１、スポンサ端末１１０２、ユーザ端末１１０５を備えて構成されている。
【００３５】
ユーザ端末１１０５は携帯電話、ＰＤＡ、パーソナルコンピュータ等から構成され、ゴルフスコアの入力、検索、オンラインサービスの受信を行うためのものである。サーバーコンピュータ１１０１は、携帯電話からなるユーザ端末１１０５から入力されたゴルフスコアデータを集計し、各種のオンラインサービスを提供する機能を備えている。スポンサ端末１１０２は、スポンサによって操作される端末であり、形態電話、ＰＤＡ、パーソナルコンピュータにより構成される。スポンサは、サーバコンピュータ１１０１からユーザ端末１１０５に対する課金請求に代わって請求額を負担する。すなわち、ユーザ端末１１０５がサーバコンピュータ１１０１からオンラインサービスを受けた場合、サーバーコンピュータ１１０１はネットワーク１１０４を介して課金額情報を含む課金要求をスポンサ端末１１０２に送信する。そして、スポンサ端末１１０２は、課金要求に応じた代金支払処理を行う。代金支払処理の方法としては、オンラインによる支払、金銭の直接の授受等を問わない。
【００３６】
一方、スポンサは、オンラインサービスの課金を負担する代わりに、ユーザ情報を閲覧および利用することができる。スポンサはユーザ端末１１０５に向けて宣伝広告等のメッセージを送信することにより、スポンサは自己のビジネスを拡大することが可能となる。本実施例に係るゴルフスコア管理システムにおいては、スポンサがゴルフ場である場合を想定して以下の説明を行う。
【００３７】
図１２は、スポンサ用のユーザ情報表示機能のための画面を表している。この画面はスポンサ端末１１０２に表示されるものであり、ログイン画面１２０１、メニュー画面１２０２、ユーザ一覧画面１２０３、ユーザ情報画面１２０４、スコア情報画面１２０５より構成されている。
【００３８】
スポンサがログイン画面１２０１においてユーザＩＤおよびパスワードを入力すると、スポンサ端末１１０２にはメニュー画面１２０２が表示される。メニュー画面１２０２には、ユーザ一覧、カスタマイズ、コミュニケーションの項目が用意されており、スポンサはこれらの中から所望の項目を選択することができる。なお、項目の選択は、画面上において下線の付された項目をクリックすることにより行われる。選択された項目に応じて、ユーザ一覧画面１２０３、ユーザ情報画面１２０４、スコア画面１２０５のいずれかが表示される構成となっている。
【００３９】
ユーザ一覧画面１２０３には、発行ＩＤ数、ユーザ数の他、ユーザの一覧情報として、ユーザ毎のＩＤ、名前、アクセス数、最終アクセス日が表示される。スポンサがユーザ一覧の中から任意のユーザを選択すると、当該ユーザの詳細な情報を含むユーザ情報画面１２０４が表示される。ユーザ情報画面１２０４には、ＩＤ、パスワード、名前、ユーザ名、メールアドレス、性別、ゴルフ歴、住所、自宅電話、携帯電話、アクセス数、最終アクセス日、スコア登録数、スコア情報、フロントデイサービスの項目が含まれている。これらの項目のうち、スコア情報、フロントデイサービスの項目をクリックすると、さらに情報の詳細（スコア情報画面１２０５等）が表示される。スポンサはユーザの個人情報に基づき、ダイレクトメールの送付、サービスを受けているユーザの年齢等の解析を行うことができる。
【００４０】
図１３は、スポンサ用の編集機能のための画面を表している。この画面は、ユーザ用の表示画面を編集するためのものである。スポンサがメニュー画面１２０２のカスタマイズの項目をクリックすると、カスタマイズ画面１３０２が表示される。さらに、カスタマイズ画面１３０２上のコンテンツ更新の項目をクリックすると、コンテンツ更新画面１３０３が表示される。コンテンツ更新画面１３０３には、ユーザ用のコンテンツ画面の構成としてトップページ、ページ１、ページ２、・・・等のページ名が表示されている。スポンサがこれらのページ名をクリックすることにより、当該ページの編集用の画面が表示される。例えば、トップページをクリックすると、トップページ編集画面１３０４が表示される。この画面は、コンテンツのトップページを編集するためのものであり、スポンサはタイトル、内容、リンク等を自由に編集することが可能である。
【００４１】
また、コンテンツ更新画面１３０３上のページ１の項目をクリックすると、ページ編集画面１３０６が表示され、コンテンツの１ページの内容を自由に編集することが可能である。編集作業が終了した後、コンテンツ更新画面１３０３の確認の項目をクリックすると、編集後の確認画面１３０５，１３０７が表示される。スポンサはこれらの確認画面１３０５、１３０７を参照することにより、実際のコンテンツ画面を確認することが可能となる。このようにして編集を行うことにより、例えば画面１３０８が作成される。
【００４２】
図１４は、スポンサ用のコミュニケーション機能を表す画面である。この画面は、スポンサからユーザへのメールの送信、スコアカードの情報設定を行うためのものである。スポンサがメニュー画面１２０２上のコミュニケーションの項目をクリックすると、コミュニケーション画面１４０１が表示される。さらに、コミュニケーション画面１４０１上においてメール送信の項目をクリックすると、送信先選択画面１４０３が表示される。
【００４３】
スポンサは、送信先選択画面１４０３においてユーザの性別、ゴルフ歴、誕生日、最終アクセス日の各々を指定することにより、送信先のユーザを決定するためのものである。例えば、誕生日を間近に控えたユーザを指定すると、当該条件に該当するユーザの一覧が送信先確認一覧画面１４０４に表示される。そして、スポンサは、メール編集画面においてメールを作成し、画面上の実行の項目をクリックすることにより、メールが指定されたユーザに送信される。例えば、誕生日を間近に控えたユーザに対して誕生日の特典サービスに関するメールを送信することも可能である。
【００４４】
さらに、コミュニケーション画面１４０１において、スコアカード情報設定の項目をクリックすると、スコアカード情報設定画面１４０６が表示される。このスコアカード情報設定画面１４０６は、ユーザ端末１１０５に表示されるスコアカード入力画面を編集するためのものである。スコアカード情報設定画面１４０６上の追加の項目をクリックすると、コース情報追加画面１４０７が表示される。コース情報追加画面１４０７において新たなコース名を入力することにより、スコアカード入力画面に表示されるゴルフコースを追加することができる。また、スコアカード情報設定画面１４０６上において、登録済みゴルフコース名をクリックすることにより、コース情報更新画面１４０８においてコース情報を編集することができる。
【００４５】
図１５は、スコアカード提出機能のための画面である。スポンサがゴルフ場である場合、ユーザが当該ゴルフ場においてスコアカードをユーザ端末１１０５を用いてゴルフ場に送信することも可能である。ユーザが、ユーザ端末１１０５において図４のトップメニュー３０４上の新規スコア入力の項目をクリックし、さらにスコア提出機能を選択すると、コンペ名入力画面１５０１がユーザ端末１１０５に表示される。ユーザがこの画面上にコンペ名、特記事項等を入力し、登録のボタンをクリックすると、確認画面１５０２が表示される。確認画面１５０２にはスコア提出を行うかどうかをユーザに選択させるためのものである。ユーザがスコア提出を選択すると、カート提出画面１５０３が表示される。カード提出画面１５０３には、ティーの選択、コース名の選択、スコアの入力、ハンディキャップの入力の各項目が含まれている。ユーザがこれらの項目に必要事項を入力した後、確認の項目をクリックすると、カード提出確認画面１５０４がユーザ端末１１０５に表示される。カード提出確認画面１５０４は、カード提出画面１５０３で入力された項目の確認を行うためのものである。ユーザがこれらの入力事項を確認した後、カード提出確認画面１５０４において確認の項目をクリックすると、スコアカードの情報がサーバーコンピュータ１１０１を介してスポンサ端末１１０２に送信される。
【００４６】
図１６は、スコアデータ一覧機能のための画面である。スコアデータ一覧機能は過去１０回分のスコアデータを一覧表でユーザに提供するためのものである。ユーザが上述のスコアカード提出機能を用いて提出されたスコアカードの情報はサーバーコンピュータ１１０１に蓄積される。すなわち、画面１６０１および１６０２により入力されたスコアカードの情報は、スコアデータ一覧情報１６０３としてユーザに提供される。スコアデータ一覧情報の提供の形態としては、ユーザ端末１１０５への送信、プリントアウトされたものを手渡し等を採ることができる。スコアデータ一覧情報１６０８には、過去１０回分のプレイ日、ゴルフスコアの情報を含んでいるため、ユーザは過去のスコアを即座に把握することが可能となる。
【００４７】
図１７、１８はグループ機能のための画面である。グループ機能を使用することにより、複数のユーザ間においてスコア情報の相互参照、メッセージの同報配信等を行うことが可能となる。
【００４８】
図１７において、ユーザがトップメニュー１７０１の中からグループ情報の項目を選択すると、メニュー１７０２がユーザ端末１１０５に表示される。メニュー画面１７０２にはグループ管理、グループ情報の項目が含まれている。ユーザがグループ管理の項目を選択すると、メンバー登録等の管理を行うための画面１７０３〜１７０８が表示され、グループ情報の項目を選択すると、各メンバーのスコア等を表示するための画面１８０１〜１８０５が表示される。
【００４９】
メニュー画面１７０３には、新規グループ作成、メンバー管理、グループ設定の各項目が含まれている。新規グループ作成の項目を選択すると、グループ作成画面１７０４が表示される。グループ作成画面１７０４はグループ名、説明を登録するための画面である。また、グループ更新画面１７０８においてグループ削除の項目をクリックすると、グループの設定は削除される。
【００５０】
メニュー画面１７０３においてメンバー管理の項目を選択すると、メンバー管理画面１７０５がユーザ端末１１０５に表示される。メンバー管理画面１７０５はメンバーの登録、削除の管理を行うための画面であり、管理者、メンバー一覧、承認待メンバー一覧の項目を有している。新規のメンバー登録を行う場合には、ユーザは新規メンバー登録画面１７０６において新規メンバーのユーザＩＤおよびメッセージを入力し、登録のボタンをクリックする。
【００５１】
メニュー画面１７０３においてグループ設定の項目を選択すると、グループ設定画面１７０７が表示される。グループ設定画面１７０７はグループ情報の画面に表示するメッセージを登録するための画面である。例えば、ゴルフのコンペの案内に関するメッセージを登録することにより、グループ内のメンバーにのみ当該メッセージを送信することが可能となる。
【００５２】
一方、メニュー画面１８０２においてグループ情報の項目を選択すると、グループ情報画面１８０２がユーザ端末１１０５に表示される。このグループ情報画面１８０１には、入会済み（登録済み）のグループ名、新規勧誘を行っているグループ名が表示される。例えば、新規勧誘グループの中から「のらくろ会」の項目をクリックすると、グループへの勧誘を促すためのグループ勧誘画面１８０４が表示される。
【００５３】
グループ情報画面１８０１において、ユーザが入会グループ一覧の中から例えば「やっさいもっさい」のグループ名をクリックすると、グループメイン画面１８０２が表示される。グループメイン画面１８０２には、グループ名、グループのコンペの案内、メンバースコア一覧が表示される。この画面上において、グループ名をクリックすると、グループ説明画面１８０３が表示される。また、グループメイン画面１８０２のメンバースコア一覧の中から任意のメンバー名をクリックすると、当該メンバーの年度別平均スコア一覧画面１８０５が表示される。このようにして、同一グループに属するメンバーのスコアを互いに参照することが可能となる。なお、グループに登録済みのメンバーが自己のスコアの開示を欲しない場合には、画面１８０４上においてスコア公開のチェックボックスを外すことにより、スコアの開示を禁止することができる。
【００５４】
本侍史例における他の機能は第１実施例における機能と同様である。すなわち、スコアの入力、スコアの一覧、過去のスコアの検索、データベースの編集等を行うことが可能である。
【００５５】
なお、本発明は上述の実施形態に限定されることなく、本発明の趣旨を逸脱しない範囲において変更可能である。例えば、携帯電話に登録された複数の友人にゴルフスコアを送信し、自己のスコアを開示するようにしても良い。これにより、当該ゴルフ管理システムに加入していない者に対する宣伝効果を期待でき、システムへの加入者を増加させることが可能となる。また、通信機能を有するカーナビゲーションシステム８にゴルフスコアを送信することで、自動車利用者に対して当該システムの存在を知らしめることができる。更に、カーナビゲーションシステムを用いたゴルフスコアの表示および検索も可能となる。
【図面の簡単な説明】
【図１】本発明の第１実施例に係るゴルフスコア管理システムの概略図である。
【図２】本発明の第１実施例に係る携帯電話のブロック図である。
【図３】本発明の第１実施例に係るスコアカード管理システムの画面遷移図である。
【図４】本発明の第１実施例に係るログイン画面、ログインエラー画面、ログインタイムアウト画面、メニュー画面を表す図である。
【図５】本発明の第１実施例に係る新規スコア入力画面を表す図である。
【図６】本発明の第１実施例に係る過去スコア検索画面、検索結果画面、一覧表示画面、詳細表示賀宴、個別削除画面を表す図である。
【図７】本発明の第１実施例に係るカユーザ情報更新画面、一括削除画面を表す図である。
【図８】本発明の第１実施例に係るゴルフスコア管理システムの動作を表すフローチャートである。
【図９】本発明の第１実施例に係るゴルフスコア管理システムの動作を表すフローチャートである。
【図１０】本発明の第１実施例に係るパーソナルコンピュータ上での検索および編集画面である。
【図１１】本発明の第２実施例に係るゴルフスコア管理システムの概略図である。
【図１２】本発明の第２実施例に係るユーザ情報表機能のための画面である。
【図１３】本発明の第２実施例に係るスポンサ用の編集機能のための画面である。
【図１４】本発明の第２実施例に係るスポンサ用のコミュニケーション機能のための画面である。
【図１５】本発明の第２実施例に係るスコアカード提出機能のための画面である。
【図１６】本発明の第２実施例に係るスコアデータ一覧機能のための画面である。
【図１７】本発明の第２実施例に係るグループ機能のための画面である。
【図１８】本発明の第２実施例に係るグループ機能のための画面である。
【符号の説明】
１  携帯電話（移動通信無線端末）
５  インターネット
６  サーバ
７  パーソナルコンピュータ
８  カーナビゲーションシステム（移動通信無線端末）
９  ＰＤＡ（移動通信無線端末）
１１０１  サーバーコンピュータ
１１０２  スポンサ端末
１１０５  ユーザ端末
【図１】
2004246858.tif 000003
【図２】
2004246858.tif 000004
【図３】
2004246858.tif 000005
【図４】
2004246858.tif 000006
【図５】
2004246858.tif 000007
【図６】
2004246858.tif 000008
【図７】
2004246858.tif 000009
【図８】
2004246858.tif 000010
【図９】
2004246858.tif 000011
【図１０】
2004246858.tif 000012
【図１１】
2004246858.tif 000013
【図１２】
2004246858.tif 000014
【図１３】
2004246858.tif 000015
【図１４】
2004246858.tif 000016
【図１５】
2004246858.tif 000017
【図１６】
2004246858.tif 000018
【図１７】
2004246858.tif 000019
【図１８】
2004246858.tif 000020